(57)【要約】【課題】エレベータ敷居溝に異物が混入して堆積することを防止し、敷居溝に混入する異物によるエレベータドアの故障を抑制することが可能な異物混入防止構造を提供する。【解決手段】エレベータドア１の開閉を案内する敷居溝２に異物が混入することを防止する異物混入防止構造であって、敷居溝２の底部が凹状に窪んで形成されており、エレベータドア１の下端部に、敷居溝２の底部に接するブラシ１２が設けられ、ブラシ１２は、エレベータドア１の開閉の動きに伴って、敷居溝２内を摺動することを特徴とする。【選択図】図２
2011011881.tif 000002
【特許請求の範囲】
【請求項１】
エレベータドアの開閉を案内する敷居溝に異物が混入することを防止する異物混入防止構造であって、
前記敷居溝の底部が凹状に窪んで形成されており、
前記エレベータドアの下端部に、前記敷居溝の底部に接する清掃部材が設けられ、
前記清掃部材は、前記エレベータドアの開閉の動きに伴って、前記敷居溝内を摺動することを特徴とする異物混入防止構造。
【請求項２】
前記清掃部材は、前記敷居溝の底部と接触する側の形状が、凸状に湾曲していることを特徴とする請求項１に記載の異物混入防止構造。
【請求項３】
前記敷居溝の底部には、該敷居溝内の異物を排出する排出口が設けられ、
前記清掃部材は、前記エレベータドアの開閉の動きに伴い、前記排出口上を通過する位置に設けられていることを特徴とする請求項１または２に記載の異物混入防止構造。
【請求項４】
前記清掃部材は、前記エレベータドアが停止した状態で、前記排出口と重なる位置に設けられていることを特徴とする請求項３に記載の異物混入防止構造。
【請求項５】
前記エレベータドアの戸当たり面が、凸状に湾曲していることを特徴とする請求項１から４のいずれか１項に記載の異物混入防止構造。
【請求項６】
前記エレベータドアは、ドア本体と該ドア本体の戸当たり面を凸状の湾曲構造とする補助具と、を有し、
前記エレベータドアの下端部における前記ドア本体と前記補助具との接合部に重なって、保護部材が設けられていることを特徴とする請求項５に記載の異物混入防止構造。
【請求項７】
前記敷居溝の底部は、外付けの治具を用いて凹状に窪んだ形状に形成されていることを特徴とする請求項１から６のいずれか１項に記載の異物混入防止構造。
【発明の詳細な説明】
【技術分野】
【０００１】
本発明は、エレベータ敷居溝の異物混入防止構造に関するものである。
【背景技術】
【０００２】
近年、屋内の移動のみならず、屋外の移動に用いるために、エレベータが設置されている箇所が増えている。例えば、バリヤフリー化を進める駅構内において、駅ホームと改札口とが異なる階層に配置されている場合に、それぞれの階とをつなぐために設置されている。
【０００３】
このような屋外に設置されているエレベータでは、屋内に設置されているエレベータと比べ使用環境が過酷であるため、故障が発生しやすい。この故障の多くは、土、砂や小石などの小さな異物が、エレベータドアを案内する敷居溝に入り込み、ドアの動きを妨げてしまうということにより生じるドア開閉の不具合であることが分かっている。
【０００４】
通常は、このような不具合を防ぐため、駅職員や清掃業者などによる敷居溝の清掃をこまめに行うことで対応している。また、定期的な点検清掃による負担を軽減するため、エレベータドアの下端にブラシを取り付け、エレベータドアの開閉の動きを利用して、ブラシで敷居溝内を掃いて異物を除去する構成が提案されている（例えば、特許文献１，２参照）。
【先行技術文献】
【特許文献】
【０００５】
【特許文献１】特開平０６−６４８７９号公報
【特許文献２】特開平０９−１８８４９１号公報
【発明の概要】
【発明が解決しようとする課題】
【０００６】
しかしながら、上記方法には次のような問題がある。すなわち、人の手による清掃では、エレベータを停止して作業を行う必要があるため、エレベータを利用可能な時間が減少し、利用者負担が増加する。また、人の手による清掃であっても、特許文献１，２に記載された方法であっても、砂や土などの小さな異物は除去しづらく、敷居溝内に残存しやすいという課題があった。以下、この課題について説明する。
【０００７】
図１０には、通常知られた敷居溝１Ｘを示す。図に示すように、通常知られた敷居溝１Ｘでは、幅方向の断面形状が略矩形である。このような形状の敷居溝１Ｘでは、敷居溝１Ｘの底部と側壁部とが交差する角部分に沿って敷居溝内に残存した砂等の小さな異物がスジ状に堆積して堆積物Ｓとなり、エレベータドアの開閉不具合の原因となりやすい。また、スジ状に固まっている堆積物Ｓは、視認されやすく美観を損ねる。
【０００８】
以上のような課題は、上述したような屋外に設置されているエレベータのみならず、例えば土足で利用するビル内のエレベータや、粉塵が発生する作業環境に併設されたエレベータ等を想定すると、屋内に設置されているエレベータにおいても発生し得る。
【０００９】
本発明はこのような事情に鑑みてなされたものであって、エレベータ敷居溝に異物が混入して堆積することを防止し、敷居溝に混入する異物によるエレベータドアの故障を抑制することが可能な異物混入防止構造を提供することを目的とする。
【課題を解決するための手段】
【００１０】
上記の課題を解決するため、本発明の異物混入防止構造は、エレベータドアの敷居溝に異物が混入することを防止する異物混入防止構造であって、前記敷居溝の底部が凹状に窪んで形成されており、前記エレベータドアの下端部に、前記敷居溝の底部に接する清掃部材が設けられ、前記清掃部材は、前記エレベータドアの開閉の動きに伴って、前記敷居溝内を摺動することを特徴とする。
この構成によれば、敷居溝の底部形状が凹状となっているため、敷居溝内に落下した異物は、自然に底部の最も低い位置（最も深い位置）に集まる。そして、集まった異物は、エレベータドアの開閉の動きに合わせて、清掃部材により掃き出される。さらに、エレベータドアの開閉に応じて、敷居溝内の異物の除去を繰り返すため、敷居溝内を定常的に清掃することができる。したがって、敷居溝内の異物を除去し、良好にエレベータの故障を防ぐことができる異物混入防止構造とすることができる。
【００１１】
本発明においては、前記清掃部材は、前記敷居溝の底部と接触する側の形状が、凸状に湾曲していることが望ましい。
この構成によれば、敷居溝の底部形状と清掃部材の端部形状とが互いに相補的に対応した形状となるため、敷居溝の内部に沿って清掃部材が密着しやすく、清掃部材による敷居溝内の清掃を効率的かつ確実に行うことができる。
【００１２】
本発明においては、前記敷居溝の底部には、該敷居溝内の異物を排出する排出口が設けられ、前記清掃部材は、前記エレベータドアの開閉の動きに伴い、前記排出口上を通過する位置に設けられていることが望ましい。
この構成によれば、排出口から確実に異物を排出することができる。
【００１３】
本発明においては、前記清掃部材は、前記エレベータドアが停止した状態で、前記排出口と重なる位置に設けられていることが望ましい。
この構成によれば、排出口から確実に異物を排出することができる。
【００１４】
本発明においては、前記エレベータドアの戸当たり面が、凸状に湾曲していることが望ましい。
この構成によれば、エレベータドアの開閉に伴い、エレベータドアの進路上（すなわち敷居溝の上方）に乗っている異物を、進路上から排除することができるため、将来的に敷居溝内に落下して故障の原因となりうる異物の混入を防止することができる。
【００１５】
本発明においては、前記エレベータドアは、ドア本体と該ドア本体の戸当たり面を凸状の湾曲構造とする補助具と、を有し、前記エレベータドアの下端部における前記ドア本体と前記補助具との接合部に重なって、保護部材が設けられていることが望ましい。
戸当たり面の凸状形状をドアとは別部材で形成する場合には、接合部に紙くずなどが挟まり、進路上から排除しにくくなるおそれがあるが、この構成によれば、接合部を保護することができるため、凸状形状を別部材で形成することによる不具合の発生を抑制することができる。
【００１６】
本発明においては、前記敷居溝の底部は、外付けの治具を用いて凹状に窪んだ形状に形成されていることが望ましい。
この構成によれば、通常知られた略矩形に形成されている敷居溝においても異物を集めやすい凹状の底部とすることができるため、幅広く多くの敷居溝における異物の除去を容易とし、良好にエレベータの故障を防ぐことができる異物混入防止構造とすることができる。
【発明の効果】
【００１７】
本発明によれば、敷居溝内への異物の混入を防止し、敷居溝内に混入した異物に起因するエレベータドアの故障を効率的に抑制することができる。
【図面の簡単な説明】
【００１８】
【図１】異物混入防止構造を備えるエレベータを説明する概略説明図である。
【図２】異物混入防止構造を備えるエレベータを説明する概略説明図である。
【図３】異物混入防止構造を備えるエレベータを説明する概略説明図である。
【図４】異物混入防止構造を備えるエレベータドアの下端部の概略断面図である。
【図５】本実施形態の異物混入防止構造の機能を説明する説明図である。
【図６】異物混入防止構造を備えない従来例を説明する説明図である。
【図７】本実施形態の異物混入防止構造の機能を説明する説明図である。
【図８】ブラシの変形例を説明する概略図である。
【図９】敷居溝の変形例を説明する概略図である。
【図１０】従来例の課題を説明する説明図である。
【発明を実施するための形態】
【００１９】
以下、図１〜図９を参照しながら、本発明の実施形態に係る異物混入防止構造について説明する。なお、以下の全ての図面においては、図面を見やすくするため、各構成要素の寸法の比率などは適宜異ならせてある。
【００２０】
図１は、本実施形態の異物混入防止構造を備えるエレベータＥを階床側から示した概略図であり、図１（ａ）は正面図、図１（ｂ）はエレベータドア１が戸袋に収納された状態を示す説明図である。本実施形態の異物混入防止構造を備えるエレベータＥは、例えば、異なる階床に設置された駅のホームと改札口とをつなぐために屋外に設けられるエレベータに採用される。
【００２１】
従来のエレベータでは、砂や土や小石などが敷居溝に堆積しやすく、エレベータドアの開閉時に、ガイドシューと敷居溝との間に堆積物（異物）が挟まることで、エレベータドアの開閉が妨げられるという不具合が生じていた。
【００２２】
また、敷居溝の上に、紙くずやたばこの吸い殻などのゴミ（異物）が落ちていると、敷居溝内に落下してエレベータドアの開閉を妨げる故障の原因となるおそれが生じる。その他にも、扉枠とエレベータドアとの間に挟まることで、ドアが閉まりきらず、安全装置が作動してドアが停止するまで開閉を繰り返すという運転上の不具合も生じていた。
【００２３】
このような故障の原因となる異物に対し、上述の異物混入防止構造を有するエレベータＥでは、敷居溝２内に落下した異物については、後述する不図示のブラシによって掃き払われ、敷居溝２内に設けられている排出口２１から、敷居溝２の外に掃き出される。また、敷居溝２の上に重なる異物については、エレベータドア１の戸当たり面に補助具１３によって形成された凸状の形状によって、良好にドアの進路上から排除され、敷居溝２内への異物の落下を未然に防ぎ、エレベータドア１と扉枠３との間の挟み込みも合わせて防ぐことができる。
【００２４】
本発明の異物混入防止構造は、階床側のエレベータドア（階床扉）１Ａ、エレベータのかご側のエレベータドア（ケージ扉）１Ｂのいずれにも採用することができる。以下、異物混入防止構造を構成する各部について説明する。
【００２５】
図２は、異物混入防止構造を備えるエレベータドア１および敷居溝２を説明する概略説明図である。エレベータドア１は、動作時に敷居溝２の延在方向に案内されて開閉する構成となっている。
【００２６】
本実施形態のエレベータドア１は、ドア本体１０の下端に設けられ敷居溝２内に挿入されることで開閉時にエレベータドア１を案内するガイドシュー１１と、ガイドシュー１１と隣り合ってドア本体１０の下端に設けられた、敷居溝２内の異物を掃き払うブラシ（清掃部材）１２と、を有している。
【００２７】
ブラシ１２は、エレベータドア１の開閉に伴って排出口２１の上部を通過する位置に設けられている。さらには、図３に示すように、エレベータドア１が扉枠３に突き当たり閉じている状態で、排出口２１の上部に重なる位置で停止する位置に設けられていると良い。このような配置とすることで、掃き払われた異物は、排出口２１からエレベータシャフト内に良好に排出される。
【００２８】
ブラシ１２としては、エレベータドア１の開閉動作を阻害しない大きさや特性を備えているならば、公知の敷居溝清掃用のブラシを用いることができる。また、後述するように、本発明の異物混入防止構造に適した構成を有するブラシを用いることが好ましい。
【００２９】
また、ドア本体１０の戸当たり面には、半円筒形の補助具１３が取り付けられており、エレベータドア１の戸当たり面１３ａを凸状に湾曲させている。補助具１３は、建築基準法の要求を満たす難燃性を備え、また成形加工が容易であることが望ましいため、難燃性の樹脂材料を用いて形成されている。
【００３０】
ここで言う「難燃性の樹脂材料」としては、建築基準法の要求を満たす難燃性を実現できるならば樹脂単独であっても、難燃剤を混合した複合材料であっても構わない。また、屋外仕様を想定するならば、耐候性を有する樹脂材料であるとなお好ましい。さらに、補助具１３の形成材料としてゴム状の材料を用いると、クッションとしての機能も備えることができる。
【００３１】
また、ドア本体１０の下端には、ドア本体１０と補助具１３との接合部１４と一部重なって、保護部材１５が設けられている。ここでは、保護部材１５として、ブラシ状の部材を採用している。これは、接合部１４の隙間に、紙くずなどの異物を挟み込まないようにするために設けられた補助的な清掃部材であり、接合部１４を保護することが出来るならば、必ずしもブラシ状の部材である必要はない。
【００３２】
一方、本実施形態の敷居溝２は、敷居２Ａにおいて底部が凹状に窪んで形成されている。本実施形態の敷居溝２は、底部がＵ字状に湾曲して窪んだ形状を採用している。底部が凹状に窪んでいるために、敷居溝２内に落下した砂などの異物は、底部のなかでも幅方向の内側に多く堆積し、幅方向の外側には堆積しにくくなっている。
【００３３】
図４は、エレベータドア１の下端部における幅方向の概略断面図であり、図４（ａ）はブラシ１２と重なる位置における断面図、図４（ｂ）はガイドシュー１１と重なる位置における断面図である。
【００３４】
図４（ａ）に示すように、ブラシ１２は、中空に設けられたエレベータドア１の内部おいて、エレベータドア１の内壁に配置された支持部材１６に取り付けられている。ブラシ１２は、支持部材１６に接着して固定することとしてもよいが、ブラシ１２が消耗したときに容易に交換可能とするため、ネジ止めなどの方法を用いることが望ましい。ここでは、ネジ１７を用いてネジ止めしている。
【００３５】
本実施形態の敷居溝２の幅Ｗ１と、ブラシ１２のブラシ毛１２ａの幅Ｗ２とは、Ｗ１＞Ｗ２という関係にある。このようなブラシ毛１２ａは、敷居溝２の幅方向において、敷居溝２の最深部と重なる位置に選択的に植毛されている。
【００３６】
また、図４（ｂ）に示すように、ガイドシュー１１も、エレベータドア１の内部に設けられた支持部材１６に、治具１８を介してネジ止めされている。また、ガイドシュー１１の下端部には、幅方向の端部にテーパー面１１ａが設けられている。そのため、敷居溝２の底部との干渉を防ぎながら、ガイドシュー１１の敷居溝２内への挿入深さＨを確保している。
【００３７】
次に、図５から７を用い、上述の異物混入防止構造について機能を順に説明する。本発明の異物混入防止構造は、大きく分けて、敷居溝２内に落下した異物の長期の堆積を防ぎ、効率的に敷居溝２外に排出し続ける構成と、敷居溝２内への異物落下を防ぎ、将来的に敷居溝２内で発生するおそれがある不具合を防ぐ構成と、を有している。以下、順に説明する。
【００３８】
図５は、本実施形態の敷居溝２内の異物混入防止構造の機能を説明する説明図である。図は、敷居溝２の幅方向の断面図である。
【００３９】
まず、図５（ａ）に示すように、敷居溝２は底部がＵ字状を呈しているため、溝の深さが場所によって異なる。このような形状の底部を有する敷居溝２内に砂や小石などの異物Ｇが落下すると、異物Ｇは、当然のごとく底部のなかでも最深部に集まり堆積する。Ｕ字状の底部を有する敷居溝２の場合には、敷居溝２の幅方向の中央部付近に異物Ｇが堆積し、敷居溝２の幅方向の両端付近には異物Ｇが堆積しにくい。すなわち、敷居溝２の底部形状に起因して、敷居溝２の幅方向の両端よりも中央付近のほうが異物Ｇの堆積量が多くなる。
【００４０】
次に、図５（ｂ）に示すように、エレベータドア１の開閉に伴い、エレベータドアの１下端に設けられたブラシ１２により敷居溝２内が掃き払われる。ブラシ１２のブラシ毛１２ａは敷居溝２の最深部と重なる位置に植毛されているため、異物Ｇが多く堆積する位置と対応する位置を選択的に掃き払うこととなる。また、ブラシ毛１２ａが選択的に植毛されているため、敷居溝の幅方向全体にわたって植毛されている場合と比べると、エレベータドア１の動きによってブラシ毛１２ａに伝わる力が限られた幅に集中することから、例えば比較的大きい異物Ｇが敷居溝２内に落下していたとしても、良好に取り除く事ができる。
【００４１】
また、ブラシ毛１２ａの植毛位置（幅）が限定されていると、ブラシ毛１２ａと重ならない位置の異物Ｇについては取り除かれずに残留することが考えられるが、エレベータドア１の性質上、エレベータを使用し続ける間であれば常に敷居溝２内の異物を掃き払い続けるため、いずれ敷居溝２外に排出される。また、エレベータドア１の開閉による振動は風雨等により、敷居溝２内に残留する異物Ｇが徐々に移動し、敷居溝２の最深部に堆積するため、ブラシ１２による掃き払いは常に効率的に実施されることになる。
【００４２】
このように、敷居溝２内においては、敷居溝２の底部の形状により溝内に落下した異物Ｇを効率的に寄せ集め、集めた異物Ｇをブラシ１２によって掃き払うことで、異物Ｇの除去を効率的に行う。
【００４３】
図６，７は、本実施形態の敷居溝２外の異物混入防止構造の機能を説明する説明図である。図は、敷居溝２を上部から観察した模式図であり、図６は異物混入防止構造を有していない従来のエレベータドア、図７は異物混入防止構造を有する本実施形態のエレベータドアを示す。
【００４４】
図６に示すように、従来のエレベータドア１Ｘでは、戸当たり面１３Ｘが略矩形の断面形状をしており、エレベータドア１Ｘの進行方向に面する平面を有している。まず、このようなエレベータドア１Ｘが往復する敷居溝２上に、敷居溝２と重なってゴミＤが落ちている場合を考える。
【００４５】
エレベータドア１Ｘが閉じる際に、戸当たり面１３ａとゴミＤとは面で接することとなる。戸当たり面１３ＸでゴミＤを押すと、エレベータドア１ＸからゴミＤに加わる力Ｆは、常にエレベータドア１Ｘの進行方向と一致するため、ゴミＤがエレベータドア１Ｘの進路上から外れにくい。そのため、エレベータドア１Ｘと扉枠３との間にゴミＤを挟み込んでしまいやすい。
【００４６】
このような場合には、エレベータドア１Ｘの開閉に伴ってゴミＤが敷居溝２内に落下し、エレベータドア１の開閉を妨げ、故障の原因となるおそれが生じる。その他にも、扉枠３とエレベータドア１との間に挟まることで、ドアが閉まりきらず、安全装置が作動してドアが停止するまで開閉を繰り返すという、運転上の不具合も生じるおそれがある。
【００４７】
対して、図７に示すように、補助具１３が設けられている本実施形態のエレベータドア１では、戸当たり面１３ａが凸状に湾曲した断面形状をしている。そのため、エレベータドア１が閉じる際に、戸当たり面１３ａとゴミＤとは点あるいは線で接することとなり、ゴミＤを押すと、ゴミの重心を中心として回転しながらエレベータドア１の進路から外れることとなる（図７（ａ））。
【００４８】
さらに、ゴミＤがエレベータドア１の進路から外れるに従い、戸当たり面１３ａとゴミＤとが接する接点が変わるため、エレベータドア１からは、方向を変えながらゴミＤに力Ｆが加わる。そのため、異物混入防止構造を備えたエレベータドア１の進路から、ゴミＤを排除することができる。したがって、敷居溝２内への将来的なゴミＤの落下を未然に防ぎ、エレベータドア１と扉枠３との間のゴミＤの挟み込みも合わせて防ぐことができる（図７（ｂ））。
【００４９】
以上のような構成の異物混入防止構造によれば、敷居溝２内を定常的に清掃することができるとともに、敷居溝２内へのゴミの落下も未然に防止することができるため、敷居溝内への異物混入を防止し、良好にエレベータの故障を防ぐことが可能となる。
【００５０】
なお、本実施形態においては、清掃部材としてブラシを用いることとしたが、これに限らない。例えば、清掃部材として、フェルト材、スポンジ状の多孔質物質、ゴム等により形成されるヘラ状の部材を用いることとしても構わない。その場合であっても、清掃部材の敷居溝の底部と接触する側の形状は、敷居溝の底部形状に対応して凸状に湾曲していることが望ましい。
【００５１】
また、本実施形態においては、敷居溝２の最深部と対応する位置に植毛されたブラシ１２を用いることとしたが、これに限らない。凹状に窪んだ敷居溝２の底部に堆積した異物Ｇを効率的に掃き出すという本発明の趣旨から、ブラシについて変形可能であることは明らかである。図８は、ブラシについての変形例を示す概略図であり、図４（ａ）に示したブラシ１２と対応する図である。
【００５２】
図８（ａ）に示すブラシ１２１では、ブラシ毛１２１ａが敷居溝の最深部と対応して選択的に植毛されていることとせず、敷居溝の幅方向に広がって植毛されている。さらに、敷居溝の中央付近に重なるブラシ毛１２１ａは密に植毛され、敷居溝の端部付近に重なるブラシ毛１２１ａは疎に植毛されている構成としている。
【００５３】
このような構成では、ブラシ毛１２１ａの密度差によって、中心付近ではブラシ毛１２１ａ全体として剛性が高くなるため、異物の堆積量が多い敷居溝の中心付近を良好に掃き払うことができる。また、端部付近ではブラシ毛１２１ａ全体として剛性が低くなるため、敷居溝の壁面に沿ってブラシ毛１２１ａが湾曲し、敷居溝の形状に沿って密着して掃き払うことができる。したがって、ブラシ１２１を用いると、敷居溝内全体を良好に掃き払うことが可能となる。
【００５４】
図８（ｂ）に示すブラシ１２２では、剛性の異なる２種のブラシ毛１２２ａ，１２２ｂを用いている。敷居溝の中央付近には、相対的に高い剛性のブラシ毛１２２ａが植毛され、敷居溝の端部付近には、相対的に低い剛性のブラシ毛１２２ｂが植毛されている構成としている。
【００５５】
このような構成では、異物の堆積量が多い敷居溝の中心付近を剛性の高いブラシ毛１２２ａにより良好に掃き払い、端部付近では剛性の低いブラシ毛１２２ｂが敷居溝の形状に沿って密着して掃き払うことができる。したがって、ブラシ１２２では、敷居溝内全体を良好に掃き払うことが可能となる。
【００５６】
図８（ｃ）に示すブラシ１２３では、ブラシ毛１２３ａの長さを敷居溝の幅方向において変化させ、敷居溝の中央付近は長く、敷居溝の端部付近は相対的に短いブラシ毛１２３ａが植毛されている。このようなブラシ１２３では、ブラシ毛１２３ａが敷居溝の底部の凹形状に対応させた凸形状となっているため、ブラシ毛１２３ａが敷居溝の底部に良好に密着して掃き払うことができる。  
【００５７】
また、本実施形態においては、敷居溝２の底部がＵ字状であることとしたが、凹状に窪んだ敷居溝とすることで、敷居溝の幅方向において底部に堆積する異物の量に分布を設け、敷居溝の中央付近に異物を集めるという本発明の趣旨から、敷居溝の底部形状について変形可能であることは明らかである。例えば、敷居溝２の底部形状は、凹状に窪んだ形状であれば上述のＵ字状に限らず、敷居溝の底部がＶ字状または多角形状に窪んだ構成であることとしても良い。
【００５８】
また、本実施形態においては、敷居溝２の底部形状は敷居２ＡがＵ字状に窪んで形成されていることとしたが、通常知られた略矩形の断面形状を有する敷居溝の溝内を、樹脂などを用いて埋没させて形成することとしても良い。また、溝内に底部形状を所望の形状に変更する治具を設置して、敷居溝の底部形状を形成することとしても構わない。
【００５９】
例えば、図９（ａ）に示すような、敷居溝の断面形状を略六角形状に変更する治具２３を用い、図９（ｂ）に示すように、略矩形の断面形状の敷居溝２Ｘ内にネジ２５を用いて固定することにより、凹状に窪んだ底部形状の敷居溝を形成することとしても構わない。もちろん、ネジ止めに代えて接着や溶接などの固定方法を選択することとしても良い。さらには、治具２３の断面形状は一例であり、所望の敷居溝の底部形状に合わせて、種々の断面形状の治具を選択可能であることは言うまでもない。
【００６０】
また、本実施形態においては、ドア本体１０に補助具１３を取り付け、補助具１３の形状を利用することでエレベータドア１の戸当たり面１３ａを凸状に湾曲した構造としているが、補助具１３を用いず、ドア本体の戸当たり面を直接凸状に形成することとしても構わない。その場合、ドア本体１０と補助具１３との結合部１４が生じないため、保護部材１４を設ける必要がなくなる。
【００６１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００６２】
１…エレベータドア
２…敷居溝
１１…ガイドシュー
１２、１２１〜１２３…ブラシ（清掃部材）
１３…補助具
１３ａ…戸当たり面
２１…排出口
Ｆ…異物
【図１】
2011011881.tif 000003
【図２】
2011011881.tif 000004
【図３】
2011011881.tif 000005
【図４】
2011011881.tif 000006
【図５】
2011011881.tif 000007
【図６】
2011011881.tif 000008
【図７】
2011011881.tif 000009
【図８】
2011011881.tif 000010
【図９】
2011011881.tif 000011
【図１０】
2011011881.tif 000012